(57)【特許請求の範囲】
【請求項１】
ベース体と、このベース体に内蔵された第１吸液性コアと、前記ベース体の内側に配設されると共にベース体に取り付けられた性器収容部形成体と、この性器収容部形成体に内蔵された第２吸液性コアと、前記性器収容部形成体に形成された性器収容開口部と、前記ベース体と性器収容部形成体の間に形成されると共に陰茎部・睾丸部を収容する性器収容部と、前記ベース体と一体に取り付けられた腹受防止体と、この腹受防止体に内蔵された第３吸液性コアと、前記腹受防止体に連続形成されると共に一方の太腿と下腹部との間に配設される第１横漏れ防止部と、前記腹受防止体に連続形成されると共に他方の太腿と下腹部との間に配設される第２横漏れ防止部と、を有してなることを特徴とする男性用尿取りパッド。
【請求項２】
ベース体と、このベース体に内蔵された第１吸液性コアと、前記ベース体の内側に配設されると共にベース体に取り付けられた性器収容部形成体と、この性器収容部形成体に内蔵された第２吸液性コアと、前記性器収容部形成体に形成された性器収容開口部と、前記ベース体と性器収容部形成体の間に形成されると共に陰茎部・睾丸部を収容する性器収容部と、前記ベース体と一体に取り付けられた腹受防止体と、この腹受防止体に内蔵された第３吸液性コアと、前記ベース体と腹受防止体との間に形成されたポケット部と、前記腹受防止体に連続形成されると共に一方の太腿と下腹部との間に配設される第１横漏れ防止部と、前記腹受防止体に連続形成されると共に他方の太腿と下腹部との間に配設される第２横漏れ防止部と、を有してなることを特徴とする男性用尿取りパッド。
【請求項３】
平面視略矩形状に形成されたベース体と、このベース体に内蔵された第１吸液性コアと、前記ベース体の内側に配設されると共に一端部がベース体に取り付けられた平面視略矩形状の性器収容部形成体と、この性器収容部形成体に内蔵された第２吸液性コアと、前記性器収容部形成体に形成された性器収容開口部と、前記ベース体と性器収容部形成体の間に形成されると共に陰茎部・睾丸部を収容する性器収容部と、前記性器収容開口部の一端部と性器収容部形成体の一端部の間に形成されたプール部と、前記ベース体と一体に取り付けられた平面視略矩形状の腹受防止体と、この腹受防止体に内蔵された第３吸液性コアと、前記ベース体と腹受防止体との間に形成されたポケット部と、前記腹受防止体に連続形成されると共に一方の太腿と下腹部との間に配設される第１横漏れ防止部と、前記腹受防止体に連続形成されると共に他方の太腿と下腹部との間に配設される第２横漏れ防止部と、を有してなることを特徴とする男性用尿取りパッド。
【請求項４】
平面視略矩形状に形成されたベース体と、このベース体に内蔵された第１吸液性コアと、前記ベース体の内側に配設されると共に一端部がベース体に取り付けられた平面視略矩形状の性器収容部形成体と、前記ベース体と前記性器収容部形成体の一側部の間に設けられた第１マチ部シートと、前記ベース体と前記性器収容部形成体の他側部の間に設けられた第２マチ部シートと、前記性器収容部形成体に内蔵された第２吸液性コアと、前記性器収容部形成体に形成された性器収容開口部と、前記ベース体と性器収容部形成体の間に形成されると共に陰茎部・睾丸部を収容する性器収容部と、前記性器収容開口部の一端部と性器収容部形成体の一端部の間に形成されたプール部と、前記ベース体と一体に取り付けられた平面視略矩形状の腹受防止体と、この腹受防止体に内蔵された第３吸液性コアと、前記ベース体と腹受防止体との間に形成されたポケット部と、前記腹受防止体に連続形成されると共に一方の太腿と下腹部との間に配設される第１横漏れ防止部と、前記腹受防止体に連続形成されると共に他方の太腿と下腹部との間に配設される第２横漏れ防止部と、を有してなることを特徴とする男性用尿取りパッド。
【発明の詳細な説明】
【技術分野】
【０００１】
本発明は、男性が着用する男性用尿取りパッドであって、尿失禁しても下着やズボン等が汚れるのを防止することができる男性用尿取りパッドに関する。
【背景技術】
【０００２】
前立腺や膀胱等の病気を治療した後等は病気治療の影響等によって排尿を我慢することが肉体的に困難になって尿失禁してしまう場合がある。
このような場合に下着やズボン等が濡れて汚れてしまうのを防止するために男性用尿取りパッドが提案されている（特許文献１）。
しかし、従来の男性用尿取りパッドは筒状の本体部に男性器を挿入するタイプであるため、男性用尿取りパッドを着用した状態で日常生活で身体を動かすと男性器が尿取りパッドの本体部から不用意に抜けてしまう場合がある。
このため、日常生活で身体を動かしても男性用尿取りパッドの本体部から男性器が不用意に抜けるのを防止するために締め付け手段を設けた男性用尿取りパッドが提案されている（特許文献２）。
しかし、このタイプの男性用尿取りパッドは、締め付け手段で男性器を直接締め付けるため着用した場合に圧迫感や違和感等を感じる場合がある。
また、従来の男性用尿取りパッドは、筒状の本体部で尿失禁した尿を受けるので尿の量が多い場合は前記本体部から尿が溢れて下着やズボン等を汚してしまうという不具合がある。
さらに、従来の男性用尿取りパッドでは仰け反って座っている場合等に前記本体部から尿が溢れると溢れた尿を両太腿部と下腹部で形成された逆Ｙ字状の窪み部に流れた尿を下腹部で受けたり（腹受け）、尿が下腹部と太腿の付け根部の間を伝わって横漏れしてしまうという不具合がある。
【先行技術文献】
【特許文献】
【０００３】
【特許文献１】特開２０１０−３５６９１号公報
【特許文献２】特開平１１−２９０３６５号公報
【発明の概要】
【発明が解決しようとする課題】
【０００４】
本発明は、上記事実に鑑みなされたものであり、圧迫感や違和感が無く着用できると共に身体を動かしても男性器が外れたりせず、さらに着座時に尿失禁しても下腹部で受けたり横漏れしたりしない男性用尿取りパッドを提供するものである。
【課題を解決するための手段】
【０００５】
請求項１の発明は、ベース体と、このベース体に内蔵された第１吸液性コアと、前記ベース体の内側に配設されると共にベース体に取り付けられた性器収容部形成体と、この性器収容部形成体に内蔵された第２吸液性コアと、前記性器収容部形成体に形成された性器収容開口部と、前記ベース体と性器収容部形成体の間に形成されると共に陰茎部・睾丸部を収容する性器収容部と、前記ベース体と一体に取り付けられた腹受防止体と、この腹受防止体に内蔵された第３吸液性コアと、前記腹受防止体に連続形成されると共に一方の太腿と下腹部との間に配設される第１横漏れ防止部と、前記腹受防止体に連続形成されると共に他方の太腿と下腹部との間に配設される第２横漏れ防止部と、を有してなることを特徴としている。
請求項２の発明は、ベース体と、このベース体に内蔵された第１吸液性コアと、前記ベース体の内側に配設されると共にベース体に取り付けられた性器収容部形成体と、この性器収容部形成体に内蔵された第２吸液性コアと、前記性器収容部形成体に形成された性器収容開口部と、前記ベース体と性器収容部形成体の間に形成されると共に陰茎部・睾丸部を収容する性器収容部と、前記ベース体と一体に取り付けられた腹受防止体と、この腹受防止体に内蔵された第３吸液性コアと、前記ベース体と腹受防止体との間に形成されたポケット部と、前記腹受防止体に連続形成されると共に一方の太腿と下腹部との間に配設される第１横漏れ防止部と、前記腹受防止体に連続形成されると共に他方の太腿と下腹部との間に配設される第２横漏れ防止部と、を有してなることを特徴としている。
請求項３の発明は、平面視略矩形状に形成されたベース体と、このベース体に内蔵された第１吸液性コアと、前記ベース体の内側に配設されると共に一端部がベース体に取り付けられた平面視略矩形状の性器収容部形成体と、この性器収容部形成体に内蔵された第２吸液性コアと、前記性器収容部形成体に形成された性器収容開口部と、前記ベース体と性器収容部形成体の間に形成されると共に陰茎部・睾丸部を収容する性器収容部と、前記性器収容開口部の一端部と性器収容部形成体の一端部の間に形成されたプール部と、前記ベース体と一体に取り付けられた平面視略矩形状の腹受防止体と、この腹受防止体に内蔵された第３吸液性コアと、前記ベース体と腹受防止体との間に形成されたポケット部と、前記腹受防止体に連続形成されると共に一方の太腿と下腹部との間に配設される第１横漏れ防止部と、前記腹受防止体に連続形成されると共に他方の太腿と下腹部との間に配設される第２横漏れ防止部と、を有してなることを特徴としている。
請求項４の発明は、平面視略矩形状に形成されたベース体と、このベース体に内蔵された第１吸液性コアと、前記ベース体の内側に配設されると共に一端部がベース体に取り付けられた平面視略矩形状の性器収容部形成体と、前記ベース体と前記性器収容部形成体の一側部の間に設けられた第１マチ部シートと、前記ベース体と前記性器収容部形成体の他側部の間に設けられた第２マチ部シートと、前記性器収容部形成体に内蔵された第２吸液性コアと、前記性器収容部形成体に形成された性器収容開口部と、前記ベース体と性器収容部形成体の間に形成されると共に陰茎部・睾丸部を収容する性器収容部と、前記性器収容開口部の一端部と性器収容部形成体の一端部の間に形成されたプール部と、前記ベース体と一体に取り付けられた平面視略矩形状の腹受防止体と、この腹受防止体に内蔵された第３吸液性コアと、前記ベース体と腹受防止体との間に形成されたポケット部と、前記腹受防止体に連続形成されると共に一方の太腿と下腹部との間に配設される第１横漏れ防止部と、前記腹受防止体に連続形成されると共に他方の太腿と下腹部との間に配設される第２横漏れ防止部と、を有してなることを特徴としている。
【発明の効果】
【０００６】
本発明の男性用尿取りパッドは、尿失禁しても尿が性器収容部から漏れたりしないで吸収することができるという優れた効果を有する。
本発明の男性用尿取りパッドは、男性用尿取りパッドを着用して日常生活で身体を動かしても男性器が性器収容部から抜けたり、はみだしたりするのを防止することができるという優れた効果を有する。
本発明の男性用尿取りパッドは、男性器が性器収容部に収容されても圧迫感や違和感等を感じないという優れた効果を有する。
本発明の男性用尿取りパッドは、尿失禁して万が一性器収容部から尿が漏れたとしても腹受防止体が下腹部と男性器の間に仕切板のように位置すると共に垂下した状態の腹受防止体が尿を吸収するので下腹部で漏れた尿を腹受けすることはないという優れた効果を有する。
本発明の男性用尿取りパッドは、着座時に尿失禁しても第１横漏れ防止部と第２横漏れ防止部がそれぞれ下腹部と太腿の付け根の間に配設されるので、尿の横漏れを防止することができるという優れた効果を有する。
【図面の簡単な説明】
【０００７】
【図１】実施例の男性用尿取りパッドの平面図である。
【図２】実施例の男性用尿取りパッドの横漏れ防止体を反転させた状態の平面図である。
【図３】実施例の男性用尿取りパッドの断面図である。
【図４】実施例の男性用尿取りパッドを着用する場合の斜視図である。
【図５】実施例の男性用尿取りパッドの分解斜視図である。
【図６】実施例の変形例の男性用尿取りパッドの分解斜視図である。
【発明を実施するための形態】
【０００８】
発明を実施するために最良の形態の例として以下のような実施例を示す。
【実施例１】
【０００９】
図１〜図５には本発明に係る男性用尿取りパッドの一実施例が示されている。
図１、図３、図５に示されるように、本発明に係る男性用尿取りパッド１０のベース体１２は平面視略矩形状で偏平状に形成されている。なお、実施例の男性用尿取りパッド１０を着用する場合は前記ベース体１２の一端部１２Ａを持ち上げて（図４参照）、身体の下腹部側に位置するようにして着用するものである。
このベース体１２の第１ベース体表面シート１４（図３参照）は薄い非透液性素材で形成され、尿等の液体を通過させないようになっている。前記ベース体１２の第２ベース体表面シート１６は薄い透液性素材でメッシュ状に形成され、尿等の液体を通過させることができるようになっている。なお、前記男性用尿取りパッド１０を着用する場合は前記第２ベース体表面シート１６が身体に当接する側に位置するものである。
図３に示されるように、前記第１ベース体表面シート１４と第２ベース体表面シート１６の間には第１吸液性コアとしてのベース体吸液性コア１８が配設されている。このベース体吸液性コア１８は前記第２ベース体表面シート１６を通過して浸入してきた尿等の液体を吸収して長時間保液することができるようになっている。
図２に示されるように、前記ベース体１２の内側（第２ベース体表面シート１６側）にはベース体１２の長手方向（図矢印Ｌ方向）に沿って性器収容部形成体２０が配設されている。この性器収容部形成体２０の一端部２０Ａは前記第２ベース体表面シート１６と熱溶着されている。
また、前記性器収容部形成体２０には長手方向に向かって平面視略Ｕ字状の性器収容開口部２１が形成されている。これにより性器収容部形成体２０には第１性器性器収容部形成体部２２と第２性器収容部形成体部２４が形成されている。
前記性器収容部形成体２０の性器収容部形成体表面シート２５は透液性素材でメッシュ状に形成されている。また、性器収容部形成体２０の内部には第２吸液性コアとしての性器収容部形成体吸液性コア２６（図３参照）が内蔵されている。この性器収容部形成体吸液性コア２６は性器収容部形成体表面シート２５を通過して浸入してきた尿等の液体を吸収して長時間保液することができるようになっている。
また、前記性器収容部形成体２０を設けることにより前記ベース体１２と性器収容部形成体２０の間には男性器（陰茎部、睾丸部）を収容するこができる性器収容部２８が形成されている。従って、男性用尿取りパッド１０を着用する場合に男性器を性器収容開口部２１から前記性器収容部２８に収容できるようになっている。
図５に示されるように、前記ベース体１２と前記性器収容部形成体２０の一側部２０Ｂの間には矩形状の第１マチ部シート３０が配設され、前記ベース体１２と前記性器収容部形成体２０の他側部２０Ｃの間には矩形状の第２マチ部シート３２が配設されている。この第１マチ部シート３０と第２マチ部シート３２は伸縮性を有する非透液性素材で薄く形成されている。
前記第１マチ部シート３０の上側部３０Ａと前記性器収容部形成体２０の一側部２０Ｂは熱溶着され、前記第１マチ部シート３０の下側部３０Ｂと前記ベース体１２は熱溶着されている。また、前記第２マチ部シート３２の上側部３２Ａは前記性器収容部形成体２０の他側部２０Ｃと熱溶着され、前記第２マチ部シート３２の下側部３２Ｂは前記ベース体１２と熱溶着されている。なお、前記男性用尿取りパッド１０の未使用時においては前記第１マチ部シート３０は上側部３０Ａと下側部３０Ｂの間の中間部３０Ｃで折り曲げられ、前記第２マチ部シート３２は上側部３２Ａと下側部３２Ｂの間の中間部３２Ｃで折り曲げられている。
従って、前記性器収容部形成体２０の一側部２０Ｂは第１マチ部シート３０を介して、性器収容部形成体２０の他側部２０Ｃは第２マチ部シート３２を介して、それぞれベース体１２に取り付けられているので、性器収容部形成体２０はベース体１２に対して伸縮可能となり男性器のサイズに対応してフィットした状態で男性器を性器収容部２８に収容することができるようになっている。
また、男性器を前記性器収容部２８に収容すると男性器は前記性器収容部形成体２０に囲まれると共に右側には第１性器収容部形成体部２２が位置し、左側には第２性器収容部形成体部２４が位置するので男性用尿取りパッド１０を着用して日常生活で身体を動かしても男性器が性器収容部２８から抜けてしまったり、はみだしたりするのを防止できる。なお、前記性器収容部２８は一定のスペースを有するので男性器を性器収容部２８に収容しても男性器が圧迫感等を感じることは無い。
図２に示されるように、前記性器収容開口部２１の一端部２１Ａと性器収容部形成体２０の一端部２０Ａの間に形成された性器収容部２８のスペースは尿を一時貯めておくことができるプール部３６となっている。従って、尿失禁した尿の量が多くて尿が迅速にベース体吸液性コア１８、性器収容部形成体吸液性コア２６に吸収されない場合であっても尿が性器収容部２８から漏れてしまうのを防止できる。
図１に示されるように、前記ベース体１２には前記性器収容部形成体２０に一部が重なり合うように腹受防止体４０が配設されている。この腹受防止体４０の一端部４０Ａ（図１において一点破線で示す）と一側端部４０Ｂ（図１において一点破線で示す）と他側端部４０Ｃ（図１において一点破線で示す）は前記ベース体１２の第２ベース体表面シート１６と熱溶着され、これにより腹受防止体４０はベース体１２に取り付けられている。
前記腹受防止体４０は男性用尿取りパッド１０を着用した場合に図４に示されるように垂下した状態になり尿失禁した場合に性器収容部２８から尿が溢れたとしても尿の腹受けを防止する役目を果たしている。
また、腹受防止体４０の一端部４０Ａと一側端部４０Ｂと他側端部４０Ｃをベース体１２に熱溶着したことにより、ベース体１２と腹受防止体４０との間にはポケット部４１が形成されている。このポケット部４１を設けることにより男性器の陰茎部が長くて前記性器収容部２８に収容しきれなくても陰茎部の先端部をポケット部４１に収容できるようになっている。
前記腹受防止体４０の腹受防止体表面シート４２は透液性素材でメッシュ状に形成されている。また、腹受防止体４０の内部には第３吸液性コアとしての腹受防止体吸液性コア４４（図３参照）が内蔵されている。この腹受防止体吸液性コア４４は尿等の液体が腹受防止体表面シート４２を通過して浸入してきた場合に吸収して長時間保液することができるようになっている。
前記腹受防止体４０には長手方向に沿って平面視略Ｕ字状の横漏れ防止部形成スリット４６が形成されている。これにより腹受防止体４０には第１横漏れ防止部４８と第２横漏れ防止部５０が連続形成されている。この第１横漏れ防止部４８と第２横漏れ防止部５０は前記男性用尿取りパッド１０を着用する場合に第１横漏れ防止部４８は一方の太腿である右足の太腿の付け根と下腹部の間に位置し、第２横漏れ防止部５０は他方の太腿である左足の太腿の付け根と下腹部の間に位置させることができるようになっている。しかも、横漏れ防止部形成スリット４６を形成したことにより容易に前記第１横漏れ防止部４８を右足の太腿の付け根と下腹部の間に位置させ、前記第２横漏れ防止部５０を左足の太腿の付け根と下腹部の間に位置させることができるようになっている。
【００１０】
実施例の男性用尿取りパッド１０の作用について説明する。
本発明の男性用尿取りパッド１０を装着する場合は下着を着ける前に図４に示されるように男性用尿取りパッド１０のベース体１２の一端部１２Ａを持ち上げてベース体１２の一端部１２Ａが身体の下腹部側に位置するようにして男性用尿取りパッド１０を股間に配設し、前記腹受防止体４０を持ち上げた状態にしてから男性器を性器収容開口部２１から性器収容部２８に収容する。
また、前記腹受防止体４０の第１横漏れ防止部４８を右足の太腿の付け根に配設し、第２横漏れ防止部５０を左足の太腿の付け根に配設する。
そして、前記男性用尿取りパッド１０を配設したら下着を着けることにより、男性用尿取りパッド１０は股間に密着して配設されることにより男性用尿取りパッド１０の着用が完了する。
前記男性用尿取りパッド１０を着用して日常生活で身体を動かしても男性器は性器収容部２８に収容されて性器収容部形成体２０に囲まれると共に男性器の右側には第１性器収容部形成体部２２が位置し、左側には第２性器収容部形成体部２４が位置しているので男性器が性器収容部２８から抜けたり、はみだしたりするのを防止できる。なお、男性器の陰茎部が長くて性器収容部２８に収容しきれなくても陰茎部の先端部はポケット部４１に収容できる。
また、男性器は性器収容部２８に収容されるので、男性器が直接締め付けられることは無いため圧迫感や違和感等の不快感は感じない。
前記男性用尿取りパッド１０を着用している時に尿失禁した場合、尿は性器収容部２８に排尿された後に前記ベース体１２の第２ベース体表面シート１６を通過してベース体吸液性コア１８に吸収されて保液される。また、前記性器収容部形成体２０の性器収容部形成体表面シート２５を通過した尿は性器収容部形成体２０の性器収容部形成体吸液性コア２６によって吸収されて保液される。
従って、尿失禁しても尿が性器収容部２８から漏れて下着やズボン等を濡らして汚すことを防止できる。
なお、尿失禁した尿の量が多くて迅速にベース体吸液性コア１８、性器収容部形成体吸液性コア２６に吸収されなくても、尿は前記プール部３６に一時貯められるので尿の量が多くても尿が性器収容部２８から漏れるのを防止できる。
また、タクシーや電車等の乗物に仰け反るように座って両太腿部と下腹部とによって逆Ｙ字状の窪み部ができている場合に尿失禁して万が一、性器収容部２８から尿が漏れたとしても前記腹受防止体４０が下腹部と男性器の間に仕切板のように位置すると共に垂下した状態の腹受防止体４０の腹受防止体吸液性コア４４が尿を吸収するので吸液性能が向上し尿の腹受けを防止することができる。
しかも、腹受防止体４０の第１横漏れ防止部４８は右足の太腿の付け根に位置し、第２横漏れ防止部５０は左足の太腿の付け根に位置しているので、下腹部と太腿の付け根の間を溢れた尿が流れようとしても尿は腹受防止体表面シート４２を通過して腹受防止体吸液性コア４４に吸収されて長時間保液されるので、尿が横漏れするのを防止することができる。
【００１１】
図６には実施例の男性用尿取りパッド１０の変形例が示されている。
図６に示されるように、この男性用尿取りパッド１０は前記ベース体１２と前記性器収容部形成体２０の一端部２０Ａの間にも矩形状の第３マチ部シート５２が配設されている。この第３マチ部シート５２は前記第１マチ部シート３０、第２マチ部シート３２と同様に伸縮性を有する非透液性素材で薄く形成されている。
前記第３マチ部シート５２の上側部５２Ａと前記性器収容部形成体２０の一端部２０Ａは熱溶着され、前記第３マチ部シート５２の下側部５２Ｂと前記ベース体１２は熱溶着されている。前記男性用尿取りパッド１０の未使用時においては前記第３マチ部シート５２も上側部５２Ａと下側部５２Ｂの間の中間部５２Ｃで折り曲げられている。
なお、前記第１マチ部シート３０、第２マチ部シート３２の他に第３マチ部シート５２を設けると、より前記性器収容部形成体２０はベース体１２に対して伸縮可能となり男性器のサイズに対応してフィットした状態で男性器を性器収容部２８に収容することができるようになる。
【００１２】
なお、実施例では性器収容部形成体２０に平面視略Ｕ字状の性器収容開口部２１を形成し、腹受防止体４０に平面視略Ｕ字状の横漏れ防止部形成スリット４６を形成したが、性器収容開口部２１及び横漏れ防止部形成スリット４６の形状は平面視略Ｕ字状に限定されないことは勿論である。
また、前記第１マチ部シート３０、第２マチ部シート３２、第３マチ部シート５２の形状や取付位置等は実施例に限定されるものでないことは勿論である。
なお、実施例のベース体吸液性コア１８と性器収容部形成体吸液性コア２６と腹受防止体吸液性コア４４は同一素材で形成された同一の吸液性コアを用いたが、吸液性コアは高吸液性のものであれば素材等は限定されるものでないことは勿論である。
また、前記男性用尿取りパッド１０の着用手順は実施例で示した手順に限定されないことは勿論である。
【産業上の利用可能性】
【００１３】
本発明の男性用尿取りパッドは前立腺や膀胱等の病気により排尿を我慢することが肉体的に困難になって尿失禁してしまう場合に使用するだけでなく、介護用品としても使用することができる。
【符号の説明】
【００１４】
１０    男性用尿取りパッド
１２    ベース体
１４    第１ベース体表面シート
１６    第２ベース体表面シート
１８    ベース体吸液性コア
２０    性器収容部形成体
２１    性器収容開口部
２２    第１性器収容部形成体部
２４    第２性器収容部形成体部
２５    性器収容部形成体表面シート
２６    性器収容部形成体吸液性コア
２８    性器収容部
３０    第１マチ部シート
３２    第２マチ部シート
３６    プール部
４０    腹受防止体
４１    ポケット部
４２    腹受防止体表面シート
４４    腹受防止体吸液性コア
４６    横漏れ防止部形成スリット
４８    第１横漏れ防止部
５０    第２横漏れ防止部
５２    第３マチ部シート
【図１】
0005133377.tif 000002
【図２】
0005133377.tif 000003
【図３】
0005133377.tif 000004
【図４】
0005133377.tif 000005
【図５】
0005133377.tif 000006
【図６】
0005133377.tif 000007